(57)【要約】【課題】焦点合わせを行なった後の焦点位置のずれを防止する。【解決手段】視度差の調整を行なった後、フォーカスノブ４０を押し込んで平歯車５６と内歯車５８とを噛み合わせる。フォーカスノブ４０を回転させて合焦レンズ枠１３を光軸Ｌ１，Ｌ２方向へ移動させて左右の望遠光学系のピント合わせを行う。その後、フォーカスノブ４０を平歯車５６と内歯車５８とを噛み合わせが解除される位置まで引き出す。【選択図】図２
2008170712.tif 000002
【特許請求の範囲】
【請求項１】
望遠鏡光学系を構成する左右の鏡筒と、
前記望遠鏡光学系の焦点位置を決めるフォーカス機構と、
このフォーカス機構を駆動させるフォーカス操作部と、
前記フォーカス機構によって決められた前記望遠鏡光学系の焦点位置の変更を規制する焦点位置変更規制手段と
を備えていることを特徴とする双眼鏡
【請求項２】
前記焦点位置変更規制手段は前記フォーカス操作部から前記フォーカス機構への操作力の伝達を遮断する動力伝達遮断機構を有することを特徴とする請求項１記載の双眼鏡。
【請求項３】
前記焦点位置変更規制手段は前記フォーカス操作部を前記望遠鏡光学系の光軸方向の複数の任意の位置に保持可能な位置保持機構を有していることを特徴とする請求項１又は２記載の双眼鏡。
【請求項４】
前記位置保持機構はクリック機構であることを特徴とする請求項３記載の双眼鏡。
【請求項５】
前記両鏡筒を連結し、前記左右の各鏡筒から延設され、その各々の内部には前記フォーカス機構が設けられた連結部を有することを特徴とする請求項１記載の双眼鏡。
【発明の詳細な説明】
【技術分野】
【０００１】
この発明は双眼鏡に関する。
【背景技術】
【０００２】
従来、双眼鏡は、２つの望遠光学系を構成する左右の鏡筒の他に、焦点調整機構、視度差調整機構等の種々の調整機構を有している。視度差調整機構によって使用者の左右の眼の視度差を調整した後、焦点調整機構によって左右の望遠光学系の焦点合わせを行う。
【０００３】
ところで、例えば観察対象が無限遠に近い定点観測の場合や、使用者の眼の調節力でピント調整が可能な遠方の観察対象を観察する場合、その合焦深度や肉眼の調節機能に依存して固定焦点で観察した方が望ましい。また、更に、当然ながら観察対象までの距離が無限遠に近くない場合も焦点は固定される方が好ましい。
【特許文献１】実用新案登録第２５９２７１７号公報
【発明の開示】
【発明が解決しようとする課題】
【０００４】
しかし、双眼鏡の使用中に誤って操作部に触れた場合、焦点位置がずれてしまう。焦点位置がずれると、再度左右の望遠光学系の焦点合わせを行なわなければならず、観察の中断を余儀なくされる。
【０００５】
この発明はこのような事情に鑑みてなされたもので、その課題は焦点合わせを行なった後の焦点位置のずれを防止することである。
【課題を解決するための手段】
【０００６】
前述の課題を解決するため請求項１記載の発明は、望遠鏡光学系を構成する左右の鏡筒と、前記望遠鏡光学系の焦点位置を決めるフォーカス機構と、このフォーカス機構を駆動させるフォーカス操作部と、前記フォーカス機構によって決められた前記望遠鏡光学系の焦点位置の変更を規制する焦点位置変更規制手段とを備えていることを特徴とする。
【発明の効果】
【０００７】
この発明によれば、焦点合わせを行なった後の焦点位置のずれを防止することができる。
【発明を実施するための最良の形態】
【０００８】
以下この発明の実施の形態を図面に基づいて説明する。
【０００９】
図１はこの発明の一実施形態に係る双眼鏡の破断面を示す概念図、図２は図１の部分拡大図、図３はリード環オスを内歯車側から見た図、図４はフォーカスノブを平歯車側から見た図、図５は双眼鏡の破断面を示す概念図である。なお、図１はフォーカスノブを押し込んだときの状態を示し、図２はフォーカスノブを引き出したときの状態を示し、図５はフォーカスノブが中間位置にあるときの状態を示す。
【００１０】
この双眼鏡は望遠鏡光学系を構成する左右の鏡筒１０，２０と両鏡筒１０，２０を連結する連結部３０とフォーカス機構に操作力を与えるフォーカスノブ４０とを備えている。
【００１１】
左右の鏡筒１０，２０は眼幅調整できるように機軸ＭＡを中心としてそれぞれ所定角度回転可能である。右の鏡筒１０は合焦レンズ１１と正立プリズム１２とを有している。また、左の鏡筒２０は合焦レンズ２１と正立プリズム（図示せず）とを有している。
【００１２】
合焦レンズ１１を保持する合焦レンズ枠１３は連結ピン１４を介して第１のフォーカス棒５１に連結されている。第１のフォーカス棒５１はフォーカス軸ＦＡ（図１参照）に沿って移動可能である（軸回転はできない）。フォーカス軸ＦＡと光軸Ｌ１，Ｌ２とは平行である。第１のフォーカス棒５１にはめねじ５１ａが形成され、第２のフォーカス棒５２の一端に形成されたおねじ５２ａがめねじ５１ａに螺合している。
【００１３】
第２のフォーカス棒５２はフォーカス軸ＦＡに沿って移動可能であるとともに、フォーカス軸ＦＡを中心として回転可能である。第１のフォーカス棒５１と第２のフォーカス棒２との螺合量に応じて第１のフォーカス棒５１、合焦レンズ枠１３の光軸Ｌ１，Ｌ２方向の相対位置が決まる。
【００１４】
第２のフォーカス棒５２の他端には歯車５２ｂが形成されている。この歯車５２ｂは視度調整環５３の内側に形成された内歯車５３ａと噛み合っている。視度調整環５３は機軸ＭＡを中心として回転可能であるが、光軸Ｌ１，Ｌ２方向へ移動することはできない。
【００１５】
なお、左の第２のフォーカス棒５２の他端（フォーカスノブ４０側）には歯車が形成されていない。したがって、左の第２のフォーカス棒５２の他端は視度調整環５３の内側に形成された内歯車５３ａと噛み合っていない。
【００１６】
また、第２のフォーカス棒５２の他端には円周方向へ延びる溝５２ｃが形成されている。この溝５２ｃにはリード環メス５４の凸部５４ａが係合している。リード環メス５４は光軸Ｌ１，Ｌ２方向へ移動できるが、機軸ＭＡを中心として回転できない。
【００１７】
リード環メス５４のリードねじ５４ｂはリード環オス５５のリードねじ５５ｂに噛み合っている。リード環オス５５は光軸Ｌ１，Ｌ２方向へ移動できないが、機軸ＭＡを中心としてリード環メス５４の内側で回転できる。リード環オス５５の端面には外周に歯車５６ａが形成された平歯車５６が設けられている（図３参照）。リード環オス５５は中間筒５７に固定されている。リード環オス５５、リード環メス５４、第２のフォーカス棒５２、第１のフォーカス棒５１、連結ピン１４及び合焦レンズ枠１３によってフォーカス機構が構成される。
【００１８】
フォーカスノブ４０は、中間筒５７に回転可能であるとともに、中間筒５７に光軸Ｌ１，Ｌ２方向へ移動可能に支持された回転軸４１に一体的に設けられている。したがって、フォーカスノブ４０は機軸ＭＡを中心として回転可能であるとともに、光軸Ｌ１，Ｌ２方向へ移動可能である。回転軸４１の先端部には抜け止め用のねじ４２が螺合している。
【００１９】
フォーカスノブ４０には平歯車５６の歯車５６ａと噛み合う歯車５８ａを有する内歯車５８が設けられている（図４参照）。フォーカスノブ４０と内歯車５８とでフォーカス機構に操作力を与えるフォーカス操作部が構成される。フォーカスノブ４０を機軸ＭＡに沿って対物レンズ方向へ移動させることによって平歯車５６と内歯車５８とを噛み合わせたり、また、接眼レンズ方向へ移動させることによって噛み合わせを解除したりすることができる。
【００２０】
中間筒５７の内周面には複数（３箇所）の凹部５７ａが形成されており、回転軸４１の外周面に設けられた凹部（溝）にはめ込まれたＯリング４１ａを凹部５７ａに落ち込ませることができる。凹部５７ａとＯリング４１ａとでクリック機構（位置保持機構）が構成される。このクリック構成によって、フォーカスノブ４０を光軸Ｌ１，Ｌ２方向の３つの位置で位置決めすることができる。焦点位置の変更を規制する焦点位置変更規制手段として、この実施形態では回転軸４１、中間筒５７で構成される動力伝達遮断機構が採用されている。
【００２１】
次に、この双眼鏡のピント調整の手順を説明する。なお、眼幅調整は既に行われているものとする。
【００２２】
まず、使用者の左右の視度差の調整を行うためにフォーカスノブ４０を光軸方向に接眼レンズ側へ引き出して平歯車５６と内歯車５８との噛み合わせを解除する（図２参照）。このとき、左右の合焦レンズ１１，２１を動かすためのリード環オス５５とフォーカスノブ４０とが連結状態にないので、フォーカスノブ４０を回転させたとしてもリード環オス５５は回転せず、合焦レンズ１１，２１は移動しない。
【００２３】
平歯車５６と内歯車５８との噛み合わせを解除したとき、視度調整環操作部５３ｂは露出している。視度調整環操作部５３ｂを操作すると、視度調整環５３が回転する。視度調整環５３の回転力は内歯車５３ａ、歯車５２ｂを介して第２のフォーカス棒５２に伝わり、第２のフォーカス棒５２が回転する（第２のフォーカス棒５２はリード環メス５４との係合によって光軸Ｌ１，Ｌ２方向の移動が規制されている）。このときの、第１のフォーカス棒５１と第２のフォーカス棒５２との螺合量に応じて第１のフォーカス棒５１、合焦レンズ枠１３が光軸Ｌ１，Ｌ２方向へ移動する。その結果、使用者の左右の眼の視度差が調整される。
【００２４】
その後、ピント合わせのために合焦レンズ１１，２１を移動させる。
【００２５】
まず、図２に示す状態からフォーカスノブ４０を光軸方向に対物レンズ側へ押し込んで平歯車５６と内歯車５８とを噛み合わせる（図１参照）。このとき、視度調整環操作部５３ｂはフォーカスノブ４０に覆われる。また、フォーカスノブ４０とリード環オス５５とは平歯車５６と内歯車５８とを介して連結される。フォーカスノブ４０を回転させると、リード環オス５５が回転し、リード環メス５４が光軸Ｌ１，Ｌ２方向へ移動する。リード環メス５４の光軸Ｌ１，Ｌ２方向への移動によって左右の第２のフォーカス棒５２と第１のフォーカス棒５１と合焦レンズ枠１３とが一体的に光軸Ｌ１，Ｌ２方向へ移動する。このとき、第２のフォーカス棒５２は回転しないので、第１のフォーカス棒５１と第２のフォーカス棒５２とを合わせた光軸Ｌ１，Ｌ２方向の相対距離は変わらない。その結果、合焦レンズ１１，２１が光軸Ｌ１，Ｌ２方向へ移動し、観察対象に対して同時に左右の望遠光学系のピント合わせが行われる。その後、フォーカスノブ４０を例えば図５に示す位置まで引き出せば、使用中に誤ってフォーカスノブ４０に触れたときであってもピントがずれることはない。
【００２６】
この実施形態によれば、焦点合わせを行った後フォーカスノブ４０を引き出すことによってピントが変わらないフォーカスロック状態にすることができるので、焦点合わせを行なった後の焦点位置のずれを防止することができる。また、クリック機構を採用したので、フォーカスノブ４０を所定の位置に確実に保持することができる。
【００２７】
なお、図５に示すようにフォーカスノブ４０を中間位置としたときには、平歯車５６と内歯車５８とが噛み合っておらず、フォーカスノブ４０を回転させても合焦レンズ１１，２１は移動しないので、フォーカスロック状態となるとともに、視度調整環操作部５３ｂの一部がフォーカスノブ４０によって覆われ、誤って視度調整環操作部５３ｂに触れ難くなり、固定焦点で観察した方が望ましい観察対象が無限遠に近い定点観測の場合や、使用者の眼の調節力でピント調整が可能な遠方の観察対象を観察する場合に便利となる。
【００２８】
また、上記実施形態ではフォーカスノブ４０を引き出すことでフォーカスロック状態にしたが、例えばフォーカスノブ４０に図示しないロック機構を設け、フォーカスノブ４０を中間軸５７に固定することでフォーカスロック状態にするようにしてもよい。
【００２９】
更に、観察対象物までの距離が無限遠に近くない場合でも、本発明によれば焦点が固定される。
【００３０】
また、本実施の形態では、フォーカス機構を連結部３０に設けたが、フォーカス機構を設ける位置は連結部３０に限定されるものではなく、鏡筒１０，２０又はその周辺でもよい。
【図面の簡単な説明】
【００３１】
【図１】図１はこの発明の一実施形態に係る双眼鏡の破断面を示す概念図である。
【図２】図２は図１の部分拡大図である。
【図３】図３はリード環オスを内歯車側から見た図である。
【図４】図４はフォーカスノブを平歯車側から見た図である。
【図５】図５は双眼鏡の破断面を示す概念図である。
【符号の説明】
【００３２】
１０，２０：鏡筒、３０：連結部、４０：フォーカスノブ、４１ａ：Ｏリング、５１：第１のフォーカス棒、５２：第２のフォーカス棒、５４：リード環メス、５５：リード環オス、５６：平歯車、５７ａ：凹部、５８：内歯車。
【図１】
2008170712.tif 000003
【図２】
2008170712.tif 000004
【図３】
2008170712.tif 000005
【図４】
2008170712.tif 000006
【図５】
2008170712.tif 000007